(57)【要約】【課題】  専用の転写フィルムを必要とせず、印刷用紙の所望箇所に表面処理が行える印刷機及び印刷用紙の表面処理方法を提供する。【解決手段】  印刷用紙に印刷を行う印刷部３と、印刷された印刷用紙に紫外線硬化型材料を塗布する塗布部４と、紫外線硬化型材料が塗布された印刷用紙２に転写用フィルムＦを押し付けて印刷用紙２の表面処理を行う表面処理部６とを備えた印刷機であって、印刷用紙２に塗布された紫外線硬化型材料の上から転写用フィルムＦが押し付けられるのに先立ち、印刷用紙２における所定領域以外の紫外線硬化型材料を硬化させるための前処理用の紫外線照射部Ｔをさらに備える。【選択図】  図１
2010089340.tif 000002
【特許請求の範囲】
【請求項１】
印刷用紙に印刷を行う印刷部と、該印刷された印刷用紙に紫外線硬化型樹脂ワニス又は紫外線硬化型インキ等の紫外線硬化型材料を塗布する塗布部と、該紫外線硬化型材料が塗布された印刷用紙に転写用フィルムを押し付けて該印刷用紙の表面処理を行う表面処理部とを備えた印刷機であって、
印刷用紙に塗布された紫外線硬化型材料の上から転写用フィルムが押し付けられるのに先立ち、該印刷用紙における所定領域以外の紫外線硬化型材料を硬化させるための前処理用の紫外線照射部をさらに備えたことを特徴とする印刷用紙の表面処理装置。
【請求項２】
前記前処理用の紫外線照射部が、複数の紫外線発光ダイオードから構成されていることを特徴とする請求項１に記載の印刷用紙の表面処理装置。
【請求項３】
印刷用紙に複数の画像が印刷されており、それら画像のうちの選択された画像の領域あるいは該画像を含む領域を前記所定領域とし、該所定領域の搬送方向始端の位置から搬送方向終端の位置に至るまで、該所定領域に対応した位置における紫外線発光ダイオードをＯＦＦにするよう構成されることを特徴とする請求項２に記載の印刷用紙の表面処理装置。
【請求項４】
印刷が施された印刷用紙に紫外線硬化型樹脂ワニス又は紫外線硬化型インキ等の紫外線硬化型材料を塗布し、該紫外線硬化型材料が塗布された印刷用紙に転写用フィルムを押し付けて該印刷用紙の表面処理を行う印刷用紙の表面処理方法であって、
印刷用紙に塗布された紫外線硬化型材料の上から転写用フィルムが押し付けられる前工程で、印刷用紙における所定領域以外の紫外線硬化型材料に紫外線を照射して該材料を硬化させることを特徴とする印刷用紙の表面処理方法。
【発明の詳細な説明】
【技術分野】
【０００１】
本発明は、印刷部により印刷された印刷用紙に、転写用フィルムを押し付けることにより、金箔、エンボス模様やホログラム模様等を転写して印刷面の付加価値を高めるための表面処理部を備えた印刷機及び印刷用紙の表面処理方法に関する。
【背景技術】
【０００２】
上記構成の印刷機は、本願発明の出願人により既に提案されている。これは、印刷された印刷用紙に紫外線硬化型樹脂ワニス（ニスとも言う）を塗布するワニス塗布部と、該紫外線硬化型樹脂ワニスが塗布された印刷用紙に転写フィルムを押し付けるとともに、該押し付けられた転写フィルムの上から紫外線を照射することにより紫外線硬化型樹脂ワニスを硬化させて印刷面の表面加工を行うための表面処理部とを備えている（例えば、特許文献１参照）。
【特許文献１】特開２００８−２３９４５号公報（図１、図２参照）
【発明の開示】
【発明が解決しようとする課題】
【０００３】
前記特許文献１の印刷機では、印刷用紙の印刷面全域に紫外線硬化型樹脂ワニスを塗布し、そのワニスが塗布された印刷用紙の印刷面全域に転写フィルムを押し付けることにより、印刷用紙の印刷面全域に表面処理を行う構成であるため、印刷用紙の印刷面の一部にのみ表面処理を行いたい場合には、全領域の一部のみに金箔、エンボス模様やホログラム模様等が入った専用の転写フィルムを必要とするため、コスト高になるだけでなく、専用の転写フィルムに取り替える煩わしい手間がかかる不都合があり、改善の余地があった。
【０００４】
本発明が前述の状況に鑑み、解決しようとするところは、専用の転写フィルムを必要とせず、印刷用紙の所望箇所に表面処理が行える印刷機及び印刷用紙の表面処理方法を提供することを課題とする。
【課題を解決するための手段】
【０００５】
本発明の印刷機は、印刷用紙に印刷を行う印刷部と、該印刷された印刷用紙に紫外線硬化型樹脂ワニス又は紫外線硬化型インキ等の紫外線硬化型材料を塗布する塗布部と、該紫外線硬化型材料が塗布された印刷用紙に転写用フィルムを押し付けて該印刷用紙の表面処理を行う表面処理部とを備えた印刷機であって、印刷用紙に塗布された紫外線硬化型材料の上から転写用フィルムが押し付けられるのに先立ち、該印刷用紙における所定領域以外の紫外線硬化型材料を硬化させるための前処理用の紫外線照射部をさらに備えたことを特徴としている。
【０００６】
また、本発明の印刷用紙の表面処理方法は、印刷が施された印刷用紙に紫外線硬化型樹脂ワニス又は紫外線硬化型インキ等の紫外線硬化型材料を塗布し、該紫外線硬化型材料が塗布された印刷用紙に転写用フィルムを押し付けて該印刷用紙の表面処理を行う印刷用紙の表面処理方法であって、印刷用紙に塗布された紫外線硬化型材料の上から転写用フィルムが押し付けられる前工程で、印刷用紙における所定領域以外の紫外線硬化型材料に紫外線を照射して該材料を硬化させることを特徴としている。
【０００７】
上記のように、印刷用紙に塗布された紫外線硬化型樹脂ワニス又は紫外線硬化型インキ等の紫外線硬化型材料の上から転写用フィルムが押し付けられるのに先立ち、印刷用紙における所定領域以外の紫外線硬化型材料を硬化させることによって、硬化した紫外線硬化型材料に転写用フィルムを押し付けても、硬化した部分に金箔、エンボス模様やホログラム模様等が転写されることがない。従って、硬化されなかった紫外線硬化型材料に対応する印刷用紙の所定領域（所望箇所）のみに金箔、エンボス模様やホログラム模様等を転写して、表面処理することができる。尚、印刷用紙の印刷面の全域を表面処理したい場合には、前記転写用フィルムが押し付けられる前の印刷用紙の紫外線硬化型材料を硬化させる処理を行わないことになる。
【０００８】
また、本発明は、前記前処理用の紫外線照射部が、複数の紫外線発光ダイオードから構成されているのが好ましい。
【０００９】
上記のように紫外線発光ダイオードを用いることによって、長寿命で熱の発生が少なく、しかも低消費電力で使用することができる。更に、ＯＮ−ＯＦＦの切り替え動作が高速で行うことができるから、印刷用紙の印刷面のどのような領域においても紫外線照射ができ、高付加価値印刷の実現が簡易な構成で可能になる。
【００１０】
また、本発明は、印刷用紙に複数の画像が印刷されており、それら画像のうちの選択された画像の領域あるいは該画像を含む領域を前記所定領域とし、該所定領域の搬送方向始端の位置から搬送方向終端の位置に至るまで、該所定領域に対応した位置における紫外線発光ダイオードをＯＦＦにするような構成を採用することができる。
【発明の効果】
【００１１】
転写用フィルムが押し付けられるのに先立ち、印刷用紙における所定領域以外の紫外線硬化型材料を硬化させることによって、硬化されなかった印刷用紙の所定領域（所望箇所）のみを表面処理することができるから、従来のような専用の転写フィルムが不要になるだけでなく、専用の転写フィルムに取り替える作業も不要になる。従って、専用の転写フィルムを必要とせず、共通の転写フィルムを使用しながらも、表面処理を行う前に所定領域以外の紫外線硬化型材料を硬化させるだけの簡易な構成で、印刷用紙の所望箇所にのみ表面処理を行うことができる印刷用紙の表面処理装置及び表面処理方法を提供することができる。
【発明を実施するための最良の形態】
【００１２】
図１に、印刷用紙の印刷面に紫外線硬化型材料の一例である樹脂ワニスを塗布して光沢を出し、その上から更に金箔、エンボス模様やホログラム模様等を転写することにより、印刷面を加工することができる表面処理部６が組み込まれた印刷機の一例を示す。この印刷機は、紙積み台からフィーダ装置や用紙分離装置等により一枚ずつ印刷用紙２を送り出すための給紙部１と、この給紙部１からの印刷用紙２に５色の印刷を行うための印刷部３と、該印刷部３により印刷された印刷用紙２に紫外線硬化型樹脂ワニス（ニスとも言う）を塗布（コーティング）するワニス塗布部４と、該ワニス塗布部４により紫外線硬化型樹脂ワニスが塗布された印刷用紙２における領域のうちの所定領域以外の紫外線硬化型樹脂ワニスを硬化させるための前処理部５と、前処理部５により処理された印刷用紙２の紫外線硬化型樹脂ワニス上に復元力を有する伸縮自在な材料（例えばポリエチレンテレフタレート、所謂ＰＥＴの他、他の材料でもよい）からなる転写用フィルムＦを押し付けて該印刷用紙２の表面加工を行うための表面処理部６と、該表面処理部６により表面加工された印刷用紙２を排紙するための排紙部７とを備えている。ここでは、５色の印刷が行えるように５台の印刷ユニット８，９，１０，１１，１２を備えた印刷部３としているが、５色以外の色、つまり１色又は２色以上の印刷が行える印刷部であってもよい。又、前記排紙部７は、グリッパを備えるチェーン搬送装置にて構成しているが、この排紙部７のない印刷機であってもよいし、又、印刷機を構成する各部の具体的な構成は図に示されるものに限定されるものではない。又、印刷用紙として枚葉紙を用いているが、連続する長尺な用紙であってもよい。
【００１３】
前記印刷面に金箔を付着させる場合には、フォイラーと呼ばれる箔押しにて印刷物を押圧することによって、印刷物の糊（ニスでもよい）の付いた部分に基材から金箔が剥がれて付着することになる。前記印刷面に金箔以外のものを付着させる構成であってもよい。前記金箔の場合も、前述同様に紫外線硬化型の糊（接着剤）又は紫外線硬化型のニスを印刷物に塗布し、塗布された糊又はニスの一部を硬化させた後、フォイラーと呼ばれる箔押しにて印刷物を押圧し、硬化していない糊又はニスの部分にのみ金箔が剥がれて付着するようになっている。
【００１４】
前記印刷ユニット８〜１２は、印刷用圧胴８Ａ〜１２Ａを備え、これら印刷用圧胴８Ａ〜１２Ａの搬送方向上流側のそれぞれには、各印刷用圧胴へ印刷用紙２を渡すための渡し胴８Ｂ〜１２Ｂを備えている。尚、前記渡し胴８Ｂ〜１２Ｂのうちの搬送方向始端側に位置する径の小さな渡し胴８Ｂを給紙胴とも言い、この渡し胴８Ｂとフィーダ装置や用紙分離装置等とから前記給紙部１を構成している。そして、図示していないが、前記胴８Ａ〜１２Ａ及び渡し胴９Ｂ〜１２Ｂのそれぞれには、送り出されてきた印刷用紙２を爪台と爪とで把持するグリッパを円周方向の複数箇所（１箇所でもよい）に備えている。尚、前記径の小さな渡し胴８Ｂにも、図示していないが、印刷用紙２を爪台と爪とで把持するグリッパを円周方向の１箇所に備えている。
【００１５】
前記ワニス塗布部４は、紫外線硬化型樹脂ワニスが供給されるニス胴４Ａとこれら対向配置して印刷された印刷用紙２に紫外線硬化型樹脂ワニスを塗布するための圧胴４Ｂとを備えている。
【００１６】
また、前記ワニス塗布部４は、前記圧胴４Ｂへ印刷用紙２を受け渡すための渡し胴１４を備えている。これら胴１４，４Ｂにも図示していないが、前記同様に送り出されてきた印刷用紙２を爪台と爪とで把持するグリッパを円周方向の複数箇所（１箇所でもよい）に備えている。
【００１７】
前記前処理部５は、ワニス塗布部４の圧胴４Ｂからの印刷用紙を搬送するための２個の渡し胴５Ａ，５Ｂを搬送方向に沿って備えるとともに、それら渡し胴５Ａ，５Ｂのうちの印刷用紙搬送方向終端側の渡し胴５Ｂの上方に、搬送されてくる印刷用紙上の所定領域以外の紫外線硬化型樹脂ワニスに紫外線を照射して該紫外線硬化型樹脂ワニスを硬化させるための紫外線照射部Ｔを備えている。
【００１８】
前記紫外線照射部Ｔは、図２（ａ），（ｂ），（ｃ）にも示すように、前記渡し胴５Ｂの表面にほぼ直交する方向に照射軸を有する多数の発光ダイオード１３を備え、それら発光ダイオード１３が渡し胴５Ｂの上方に配置されている。なお、発光ダイオード１３と渡し胴５Ｂとの間隔は、出来る限り接近させた方が硬化効率の点で好ましいが、搬送される印刷用紙２に接触することがないような間隔が好ましく、その間隔Ｌを例えば２０ｍｍ程度にしている。
【００１９】
前記多数の発光ダイオード１３は、印刷用紙（渡し胴５Ｂ）の幅方向に沿って一直線上に所定間隔（等間隔）をおいて配置され、渡し胴５Ｂの幅方向全域に渡って紫外線を照射できるようになっている。
【００２０】
また、前記多数の発光ダイオード１３のうちの所定個数（例えば１１個）の発光ダイオード１３を、横長状の１つの基板１４に備えさせ、４台の基板１４を印刷用紙（圧胴５Ｂ）の幅方向に連結するとともに、両側に位置する基板１４の端それぞれに支持部材１５（図２（ｃ）では一端のみを図示している）を取り付けて、４台の基板１４を渡し胴５Ｂの表面に対して所定距離（所定高さ）隔てて左右の支持部材１５，１５により支持させている。ここでは、４４個の発光ダイオード１３を備えさせた場合を示しているが、個数は自由に変更できる。
【００２１】
前記表面処理部６は、図１に示すように、前記渡し胴５Ｂからの印刷用紙２を受け取るために設けられた渡し胴１６と、この渡し胴１６からの印刷用紙２を受け取る圧胴１７と、圧胴１７上の印刷用紙に前記転写用フィルムＦを押し付けて転写するためのフィルム転写機構１８とを備えている。
【００２２】
前記フィルム転写機構１８は、ワニス塗布部４により塗布された紫外線硬化型樹脂ワニスを接着剤として利用しながら前記転写用フィルムＦを印刷用紙２に押し付けて、転写用フィルムＦから印刷用紙２に金箔、エンボス模様やホログラム模様等を転写するように構成される。
【００２３】
そして、前記のように、印刷用紙２の紫外線硬化型樹脂ワニスに転写用フィルムＦを押し付けることによって、紫外線硬化型樹脂ワニスの塗布面を平滑にすることができ、光沢度をアップさせることができる。そして、押し付けられた転写用フィルムＦの上から紫外線照射ランプ１９，２０（１個又は３個以上であってもよい）からの紫外線を照射することによって、紫外線硬化型樹脂ワニスを硬化させるようにしている。前記渡し胴１６も、前記同様に、印刷用紙２を把持するグリッパを周方向２箇所（１箇所又は３箇所以上であってもよい）に備えている。又、前記圧胴１７は、前記渡し胴１６よりも直径が大きな所謂３倍胴と言われる胴になっており、前記と同様に、グリッパを円周方向の３箇所（図示していない）に備えており、圧胴１７が１回転する間に渡し胴１６が１．５回転することにより、前記のように圧胴１７側のグリッパに渡し胴１６のグリッパからの印刷用紙２を受け渡すことができるようになっている。前記圧胴１７を他の胴に比べて大きな直径（３倍胴）とすることによって、紫外線照射を行う乾燥処理区間を多く確保することができるだけでなく、ワニス塗布部４との距離が長く確保できる利点があるが、他の胴と同一の直径にして実施することもできる。
【００２４】
前記表面処理部６について詳述すれば、図１に示すように、前記転写用フィルムＦが巻き付けられるとともに送り出し可能な供給ロール２１と、この供給ロール２１から送り出された転写用フィルムＦを前記圧胴１７上の印刷用紙（印刷用紙）２に押し付ける２個（１個又は３個以上でもよい）の押圧ローラ２２，２３と、該押圧ローラ２２，２３により前記転写用フィルムＦを押圧した後、印刷用紙から剥離される該転写用フィルムＦを巻き取る巻取用ロール２４とを備えている。そして、供給ロール２１と搬送方向上流側に位置する押圧ローラ２２との間には、多数のフィルム案内用のローラが配置されている。又、搬送方向下流側に位置する押圧ローラ２３と巻取用ロール２４との間にも多数のフィルム案内用のローラを配置している。前記供給ロール２１は、図示していない供給ロール用の電動モータの動力を用いて駆動回転され、前記巻取用ロール２４は、図示していない巻取用ロール用の電動モータを用いて駆動回転される。
【００２５】
前記印刷機は、図２に示すように、制御部Ｓを備えており、この制御部Ｓは、前記前処理用の紫外線照射部Ｔの発光ダイオード１３のうちの所定の発光ダイオードのみを点灯させることができる点灯制御手段２５を備えている。従って、前記ワニス塗布部４で塗布された紫外線硬化型樹脂ワニスの上から押圧ローラ２２，２３により転写用フィルムＦが押し付けられる前において、前処理用の紫外線照射部Ｔの発光ダイオード１３のうちの特定の発光ダイオードのみを点灯させることにより、印刷用紙における所定領域以外の紫外線硬化型樹脂ワニスのみを硬化させ、紫外線硬化型樹脂ワニスが硬化されなかった印刷用紙における所定領域を所望箇所として表面処理することができるようになっている。
【００２６】
図３（ａ），（ｂ）は、１６個の画像Ａ〜Ｐが印刷された印刷用紙２を示しており、その印刷された印刷用紙２における所定領域に発光ダイオード１３からの紫外線を照射しないように、前記制御部Ｓにより発光ダイオード１３の点灯制御を行っている状態を示している。
【００２７】
図３（ａ）は、印刷用紙２の左右両端の領域２Ｌ，２Ｒ（斜線で印された領域）に紫外線を照射しないように、それら２つの領域２Ｌ，２Ｒに対応した位置における発光ダイオード１３を消灯するが、他の発光ダイオード１３（２つの領域２Ｌ，２Ｒに挟まれた領域に対応した位置における発光ダイオード１３）は点灯させるように制御する例を示している。
【００２８】
また、前記点灯制御手段２５は、前記印刷用紙に複数の画像が印刷されている場合には、それら画像のうちの選択された画像の領域の搬送方向始端の位置で、該領域に対応した位置における紫外線発光ダイオード１３をＯＦＦにし、該画像の搬送方向終端の位置でその紫外線発光ダイオード１３をＯＮにする手段から構成されている。
【００２９】
図５（ｂ）は、印刷用紙２に印刷された１６個の画像Ａ〜Ｐのうちの選択された６個の画像Ａ，Ｃ，Ｄ，Ｌ，Ｏ，Ｐ（斜線で印された画像）の領域２Ａ，２Ｃ，２Ｄ，２Ｌ，２Ｏ，２Ｐに紫外線を照射しないように、それら６個の画像Ａ，Ｃ，Ｄ，Ｌ，Ｏ，Ｐ（斜線で印された画像）の領域２Ａ，２Ｃ，２Ｄ，２Ｌ，２Ｏ，２Ｐに対応した位置における発光ダイオード１３を該領域２Ａ，２Ｃ，２Ｄ，２Ｌ，２Ｏ，２Ｐが通過する間は消灯するように制御する例を示している。
【００３０】
前記制御部Ｓには、プリプレスデータから、印刷用紙２の左右幅方向における左右の位置を算出する左右位置算出手段２６、印刷用紙２の搬送方向始端と搬送方向終端の両端を算出する搬送方向両端位置算出手段２７、印刷用紙２内の画像の位置（大きさも含む）を算出する画像位置算出手段２８を備えている。従って、図３（ａ）に示す例では、左右位置算出手段２６と搬送方向両端位置算出手段２７の２つの手段を用いて発光ダイオード１３の点灯を制御し、また、図３（ｂ）に示す例では、左右位置算出手段２６と（搬送方向両端位置算出手段２７と）画像位置算出手段２８の２つ（３つ）の手段を用いて発光ダイオード１３の点灯を制御する。
【００３１】
このように領域２Ｌ，２Ｒ又は領域２Ａ，２Ｃ，２Ｄ，２Ｌ，２Ｏ，２Ｐ以外の領域の紫外線硬化型樹脂ワニスを硬化させることによって、それら領域２Ｌ，２Ｒ又は２Ａ，２Ｃ，２Ｄ，２Ｌ，２Ｏ，２Ｐのみにおける表面処理が行われるようにすることで、同一の転写用フィルムＦを用いながらも、印刷用紙の所望箇所のみを表面処理することができる。
【００３２】
前記排紙部７には、表面処理部６にて処理されて搬送されてきた印刷用紙２を受け取って所定位置まで搬送するための搬送装置を備えている。この搬送装置は、印刷用紙の搬送方向両端に配置された左右一対のスプロケット７Ａ，７Ｂに掛け渡された無端走行体である左右一対のチェーン７Ｃに設けられた、印刷用紙を把持するグリッパ（図示していないが、前述したグリッパと基本構成は同一である）により構成されている（図１参照）。
【００３３】
前記実施形態では、前処理用の紫外線照射部Ｔを渡し胴５Ｂの外部に配置した場合を示したが、図４及び図５に示すように、渡し胴１６の内部に配置することによって、前処理用の紫外線照射部Ｔを配置する余分なスペースを外部に形成する必要がなく、その分、印刷機全体の小型化を図ることができる。しかも、図４では、図１で示した前処理部５を構成する一対の渡し胴５Ａ，５Ｂを省略し、前記表面処理部６の渡し胴１６の内部を前処理用の紫外線照射部Ｔを配置するスペースに利用することによって、さらに印刷機全体の小型化を図ることができる利点がある。
【００３４】
前記渡し胴１６は、左右一対の円板１６Ａ，１６Ｂと、これら円板１６Ａ，１６Ｂの外周縁のほぼ半分を内側で連結する連結用の円弧状板部材２９とからなっている。そして、円弧状板部材２９の一端部付近に、複数の爪３０とこれら爪３０と同数の爪台３１とからなるグリッパを備えている。
【００３５】
前記グリッパにより把持された印刷用紙２の印刷表面（ワニス側）である裏面に紫外線を照射する紫外線照射部Ｔを、渡し胴１６の中心を貫通するパイプ３２に取付金具３３を介して固定している。前記パイプ３２は、渡し胴１６を回転自在に支持する壁面（図示せず）に固定されている。従って、ワニスが塗布されて圧胴４Ｂから送出された印刷用紙が渡し胴１６のグリッパにより把持されて図５（ｂ）に示すように回転して表面処理部６の圧胴１７へ受け渡されるまでの間に、前記紫外線照射部Ｔにより印刷用紙２の印刷表面（ワニス側）を照射し、ワニスの一部を前述のように硬化させることができるようになっている。
【００３６】
図５（ａ），（ｂ）で示した渡し胴１６の具体的構成及び紫外線照射部Ｔの取り付け方などは図に示されるものに限定されるものではなく、適宜変更することができる。図５（ａ）では、グリッパを渡し胴１６の回転方向一箇所にのみ設けた場合を示したが、２箇所以上設けてもよい。
【００３７】
また、前記実施形態では、領域２Ｌ，２Ｒに対応した位置における発光ダイオード１３を消灯させ、かつ、他の領域に対応した位置における発光ダイオード１３を点灯させるように発光ダイオード１３を点灯制御したが、全ての発光ダイオード１３を点灯させ、領域２Ｌ，２Ｒへ照射される紫外線を遮蔽する遮蔽板（紫外線カットガラスやフィルムあるいは金属板等で構成される）の単数又は複数を印刷用紙の幅方向に移動自在に設けて実施してもよい。この場合、遮蔽板を電動力を利用して自動的に所望箇所に対する紫外線をカットすることができるように構成することが好ましいが、手動操作にて遮蔽板を印刷用紙の幅方向へ移動させるようにしてもよい。また、このような遮蔽板を用いる場合には、発光ダイオードを個別に点灯制御する必要がないため、制御構成の簡素化を図ることができる。しかも、個別に点灯制御することによって、点灯時間に違いが生じ、それによる発光ダイオード素子の寿命がまちまちになり、交換時期を合わせることができないが、遮蔽板を用いる場合には、そのような不具合が発生しない利点がある。
【００３８】
また、前記実施形態では、図３（ｂ）に関し、画像Ａ，Ｃ，Ｄ，Ｌ，Ｏ，Ｐの領域２Ａ，２Ｃ，２Ｄ，２Ｌ，２Ｏ，２Ｐと一致する領域を所定領域として設定し、ここに表面処理を行うようにしているが、たとえば、画像の領域よりも僅かに大きな所定領域（画像の領域と略相似形の領域）を設定してもよい。
【００３９】
また、前記実施形態では、紫外線硬化型材料の一例として樹脂ワニスを示したが、紫外線硬化型のインキや接着剤などであってもよい。
【図面の簡単な説明】
【００４０】
【図１】印刷機の一例の概略構成を示す側面図である。
【図２】図１で示した紫外線照射部の具体例を示し、（ａ）はそれの要部の正面図、（ｂ）はそれの要部と制御部との構成を示す斜視図、（ｃ）は発光ダイオードを備えた基板の正面図である。
【図３】（ａ），（ｂ）は紫外線の非照射領域を示す印刷用紙の正面図である。
【図４】印刷機の別の形態を示す側面図である。
【図５】図４で示した紫外線照射部の具体例を示し、（ａ）はそれの斜視図、（ｂ）はそれの縦断側面図である。
【符号の説明】
【００４１】
１…給紙部、２…印刷用紙、３…印刷部、４…ワニス塗布部、４Ａ…ニス胴、４Ｂ…圧胴、５…前処理部、５Ａ…部分、６…表面処理部、７…排紙部、７Ａ，７Ｂ…スプロケット、７Ｃ…チェーン、８〜１２…印刷ユニット、８Ａ〜１２Ａ…印刷用圧胴、８Ｂ〜１２Ｂ…渡し胴、１４…渡し胴、１５…支持部材、１６…渡し胴、１６Ａ，１６Ｂ…円板、１７…圧胴、１８…フィルム転写機構、１９，２０…紫外線照射ランプ、２１…供給ロール、２２，２３…押圧ローラ、２４…巻取用ロール、２５…点灯制御手段、２６…左右位置算出手段、２７…搬送方向両端位置算出手段、２８…画像位置算出手段、２９…円弧状板部材、３０…爪、３１…爪台、３２…パイプ、３３…取付金具、Ｆ…転写用フィルム、Ｓ…制御部、Ｔ…紫外線照射部
【図１】
2010089340.tif 000003
【図２】
2010089340.tif 000004
【図３】
2010089340.tif 000005
【図４】
2010089340.tif 000006
【図５】
2010089340.tif 000007